【手続補正書】
【提出日】平成27年8月20日(2015.8.20)
【手続補正１】
【補正対象書類名】特許請求の範囲
【補正対象項目名】全文
【補正方法】変更
【補正の内容】
【特許請求の範囲】
【請求項１】
固体物質の水懸濁液から前記固体物質を分離する方法であって、
前記固体物質の水懸濁液に、分枝状オルガノポリシロキサン構造を含むオルガノポリシロキサンポリアルキレンオキシドコポリマーを添加することと、
前記オルガノポリシロキサンポリアルキレンオキシドコポリマーと前記固体物質の水懸濁液とを混合して混合物を形成することと、
前記混合物から前記固体物質を水切りすること、とを含む、方法。
【請求項２】
前記固体物質が、繊維状セルロース性物質である、請求項１に記載の方法。
【請求項３】
水性スラリー中の木材パルプを洗浄し、洗浄された木材パルプスラリーを水切りしかつ乾燥させることによって、洗浄された乾燥木材パルプを製造する用途に使用し、分枝状オルガノポリシロキサン構造を含むオルガノポリシロキサンポリアルキレンオキシドコポリマーを水切り前に前記水性スラリーに添加することによって、前記木材パルプスラリーの水切れの速度を上昇させ、前記スラリーの水切り及び乾燥において用いられる総エネルギーを低減することを特徴とする、請求項２に記載の方法。
【請求項４】
前記分枝状オルガノポリシロキサンポリアルキレンオキシドコポリマーが、次の一般式：
Ｒ２Ｒ＊ＳｉＯ（ＲＲ’ＳｉＯ）ｘ（Ｒ２ＳｉＯ）ｙ（ＲＲ”ＳｉＯ）ｚＳｉＲ２Ｒ＊        （Ｉ）
（式中、各Ｒは、１〜２５個の炭素原子を有する炭化水素基を表し；各Ｒ’は次の式：
−Ａ−Ｏ−(Ａ’−Ｏ)ｗ−(Ｃ２Ｈ４Ｏ)ａ(Ｃ３Ｈ６Ｏ)ｂ(Ｃ４Ｈ８Ｏ)ｃ−Ｒ２
（式中、Ａは、１〜２０個の炭素原子を有する二価炭化水素基、式−Ａ”Ｃ(Ｏ)−（式中、Ａ”は、２〜４個の炭素原子を有するアルキレン基、又はＳｉへの直接結合である）のアシルアルキル基を表し、Ａ’は、２〜５個の炭素原子を有するアルキレン基を表し、Ｒ２は水素原子、１〜２０個の炭素原子を有するアルキル基、又は１〜２０個の炭素原子を有するアシル基を表し、ｗ＝０又は１であり、ａ＝０〜５０であり、ｂ＝０〜５０であり、ｃ＝０〜２０であるが、但し、ａ＋ｂ＋ｃは少なくとも１である）のポリオキシアルキレン基を表し；各Ｒ”は、オルガノポリシロキサン部分、又はオルガノポリシロキサン部分によって置換されている有機基を表し、且つＳｉ−Ｃ結合又はシロキサン結合によってＳｉに結合しており；各Ｒ＊は、Ｒ、Ｒ’、又はＲ”基であり；ｘ＝１〜４０であり；ｙ＝０〜３００であり；ｚ＝１〜５である）を有する、請求項１〜３のいずれか一項に記載の方法。
【請求項５】
ｂ＝５〜４０であり、ｃ＝０であり、ｂがａよりも大きい、請求項４に記載の方法。
【請求項６】
Ｒ”部分が、少なくとも１以上のポリオキシアルキレン基によって置換されており、シロキサン結合によってＳｉに結合しているオルガノポリシロキサン部分である、請求項４又は５に記載の方法。
【請求項７】
前記オルガノポリシロキサンポリアルキレンオキシドコポリマーが、次の一般式：
【化１】
2014531968.tif 000001
（式中、Ｒ、Ｒ’、Ｒ＊、ｘ、ｙ、及びｚは、請求項２に定義する通りであり；各Ｒ３は、水素又は１〜３個の炭素原子を有するアルキル基を表し、Ｙは、加水分解性結合を含有しない有機又はオルガノシロキサン結合を表す）を有する、請求項４〜６のいずれか一項に記載の方法。
【請求項８】
前記オルガノポリシロキサンポリアルキレンオキシドコポリマーが、次の一般式：
【化２】
2014531968.tif 000002
（式中、Ｒ、Ｒ’、Ｒ＊、ｘ、ｙ、及びｚは、請求項２に定義する通りであり、各Ｒ４は、１〜２５個の炭素原子を有する炭化水素基又は式Ｒ２Ｒ＊ＳｉＯ（ＲＲ’ＳｉＯ）ｘ’（Ｒ２ＳｉＯ）ｙ（ＲＲ”ＳｉＯ）ｚ’−（式中、Ｒ、Ｒ’、Ｒ”、Ｒ＊、及びｙは、請求項２に定義する通りであり、ｘ’＝０〜１０であり、ｚ’＝０〜５である）のポリオルガノシロキサン基を表す）を有する、請求項４〜６のいずれか一項に記載の方法。
【請求項９】
前記オルガノポリシロキサンポリアルキレンオキシドコポリマーが、次の一般式：
【化３】
2014531968.tif 000003
（式中、Ｒは、請求項２に定義する通りであり；各Ｒ５は、１〜２５個の炭素原子を有する炭素原子基、次の式：
−Ａ−Ｏ−（Ａ’−Ｏ）ｗ−（Ｃ２Ｈ４Ｏ）ａ（Ｃ３Ｈ６Ｏ）ｂ（Ｃ４Ｈ８Ｏ）ｃ−Ｒ２
（式中、Ａは、１〜２０個の炭素原子を有する二価炭化水素基又は式−Ａ”Ｃ（Ｏ）−（式中、Ａ”は、２〜４個の炭素原子を有するアルキレンである）のアシルアルキル基を表し、Ａ’は、２〜５個の炭素原子を有するアルキレン基を表し、Ｒ２は、水素原子、１〜２０個の炭素原子を有するアルキル基、又は１〜２０個の炭素原子を有するアシル基を表し、ｗ＝０又は１であり、ａ＝０〜５０であり、ｂ＝０〜５０であり、ｃ＝０〜２０であるが、但し、ａ＋ｂ＋ｃは少なくとも１である）、又はオルガノポリシロキサン部分、又はＳｉ−Ｃ結合によってＳｉに結合しているオルガノポリシロキサン部分によって置換されている有機基であるが、但し、少なくとも１つの基Ｒ５は、ポリオキシアルキレン基を表し、少なくとも１つの基Ｒ５は、オルガノポリシロキサン部分又はオルガノポリシロキサン部分によって置換されている有機基を表し；ｎ＝１〜４００であり；各ｑ＝１又は２である）のポリオキシアルキレン基を表す）を有する、請求項４〜６のいずれか一項に記載の方法。
【請求項１０】
前記分枝状オルガノポリシロキサンポリアルキレンオキシドコポリマーが、次の一般式：
Ｒ２Ｒ＊ＳｉＯ(ＲＲ’ＳｉＯ)ｘ（Ｒ２ＳｉＯ）ｙ（ＲＲ”ＳｉＯ）ｚＳｉＲ２Ｒ＊        （Ｉ）
（式中、Ｒ、Ｒ’、Ｒ”、Ｒ＊、ｘ、及びｙは、請求項２に定義する通りであり、ｚ＝であり、組成物中の総オルガノポリシロキサンポリアルキレンオキシドコポリマー中のｚの平均値は、０．１〜２の範囲である）を有するオルガノポリシロキサンポリアルキレンオキシドコポリマーを含有する組成物の一部として存在する、請求項１〜９のいずれか一項に記載の方法。
【請求項１１】
前記オルガノポリシロキサンポリアルキレンオキシドコポリマー組成物が、２５℃で０．０３ｍ２／ｓ（３００００ｃＳｔ）未満の粘度を有する、請求項１０に記載の方法。
【請求項１２】
前記懸濁している固体物質が石炭である、請求項１に記載の方法。
【請求項１３】
前記懸濁している固体物質が下水汚泥である、請求項１に記載の方法。
【請求項１４】
分枝状オルガノポリシロキサン構造を含むオルガノポリシロキサンポリアルキレンオキシドコポリマーの、懸濁している固体物質の水性媒体からの水切れを改良する用途での使用。
【請求項１５】
分枝状オルガノポリシロキサン構造を含むオルガノポリシロキサンポリアルキレンオキシドコポリマーを、
織物材料を洗浄するために用いる水性洗剤溶液に添加する、または
洗浄した織物材料をすすぐために用いる水に添加することを特徴とする洗濯方法。
【手続補正２】
【補正対象書類名】明細書
【補正対象項目名】０００８
【補正方法】変更
【補正の内容】
【０００８】
本明細書に開示する方法は、木材パルプスラリー、例えば、パルプ褐色原料洗浄において形成される木材パルプスラリー等の繊維状セルロース性物質の水性懸濁液の水切れにおいて特に有益である。水性スラリー中の木材パルプを洗浄し、洗浄された木材パルプスラリーを水切りし、乾燥させることによって洗浄された乾燥木材パルプを製造するための本明細書に開示する方法では、分枝状オルガノポリシロキサン構造を含むオルガノポリシロキサンポリアルキレンオキシドコポリマーを水切り前に水性スラリーに添加して、木材パルプスラリーの水切れの速度を上昇させ、水切り及びスラリーの乾燥において用いられる総エネルギーを低減させる。また、本明細書に開示する方法は、紙若しくはティッシュを製造するための製紙用木材パルプスラリーの、又は繊維状物質の再生において形成されるパルプスラリーの水切れにおいても有利である。 
【手続補正３】
【補正対象書類名】明細書
【補正対象項目名】０００９
【補正方法】変更
【補正の内容】
【０００９】
分枝状オルガノポリシロキサンポリアルキレンオキシドコポリマーが水切りにおいて利益をもたらす繊維状物質の更なる例は、織物材料、特にセルロース性織物材料、例えば、木綿で作製される衣料品又は再生セルロース繊維の布地である。分枝状オルガノポリシロキサンポリアルキレンオキシドコポリマーは、織物、特に、セルロース性織物を洗浄し、すすぐための洗濯プロセスに組み込んで水切れを改良したり、セルロース性又は他の織物用繊維のスラリーに添加して、織物用製造プロセスの任意の段階における水切れを改良したりすることができる。
【手続補正４】
【補正対象書類名】明細書
【補正対象項目名】００４７
【補正方法】変更
【補正の内容】
【００４７】
例えば、水性スラリー中の木材パルプを洗浄し、水切りし、洗浄された木材パルプスラリーを乾燥させることによって洗浄された乾燥木材パルプを製造するプロセスでは、分枝状オルガノポリシロキサンポリアルキレンオキシドコポリマー組成物は、洗浄前に木材パルプ又は洗浄媒体に添加してもよく、洗浄工程で撹拌する前に木材パルプと洗浄液との混合物に添加してもよく、洗浄後且つ水切り前に添加してもよい。
【手続補正５】
【補正対象書類名】明細書
【補正対象項目名】００５６
【補正方法】変更
【補正の内容】
【００５６】
パルプ及び紙用途では、水切れの改良により、淡水の消費及び乾燥エネルギーを低減することができる。木材パルプを製造するための化学プロセスは、例えば水酸化ナトリウム及び硫化ナトリウムを含有する水性蒸解液中で木材チップを加熱して第１の木材パルプスラリーを形成する工程と、スクリーン上に木材パルプスラリーを堆積させて初期パルプ層を形成する工程と、このように堆積させた初期パルプ層を、例えば苛性ソーダ及び脂肪酸を含有する水性洗浄液で洗浄して第２の木材パルプスラリーを形成する工程と、この洗浄された木材パルプスラリーを水切り及び乾燥する工程とを含む。本発明者らは、水切り前の洗浄工程で分枝状オルガノポリシロキサン構造を含むオルガノポリシロキサンポリアルキレンオキシドコポリマーを水性木材パルプスラリーに添加すると、木材パルプスラリーの水切れ速度が上昇し、スラリーの水切り及び乾燥で用いられる総エネルギーが減少することを見出した。分枝状オルガノポリシロキサンポリアルキレンオキシドコポリマーは、水切り前の洗浄工程における任意の段階で添加し得る。例えば、洗浄工程に入るパルプに添加してもよく、水性洗剤液に添加してもよく、又は水切り前の洗浄された木材パルプスラリーに添加してもよい。パルプ洗浄プロセスにおける水切れが改良されると、必要とする漂白用化学物質が少ないより清浄なパルプが得られ、それに加えて、淡水の消費及び乾燥エネルギーが減少する。加熱後且つ水切り前に分枝状オルガノポリシロキサン構造を含むオルガノポリシロキサンポリアルキレンオキシドコポリマーを第１の水性木材パルプスラリーに添加したときも、後続の洗浄工程における洗浄された木材パルプ層を通じた洗浄液の水切りが若干改良される。
【手続補正６】
【補正対象書類名】明細書
【補正対象項目名】００５７
【補正方法】変更
【補正の内容】
【００５７】
水切れの改良は、時間に対する水切れ速度の上昇、又は一定時間水切りした後の固体物質の稠度上昇として測定することができる。例えば、懸濁液から除去される濾液の重量、又は分枝状オルガノポリシロキサンポリアルキレンオキシドコポリマーが添加されているスラリーから、堆積しているパルプ層を通じて洗浄される濾液の重量を連続的に測定し、時間に対してプロットしてよく、水切れ速度は、時間に対する濾液の重量のグラフの勾配である。あるいは、一定時間水切りした後の湿潤固体の重量を測定してもよく、湿潤固体の重量が少ないと、湿潤固体残渣の稠度が高く、水切れが改良されたことを示す。いずれかの測定によって、分枝状オルガノポリシロキサン構造を含むオルガノポリシロキサンポリアルキレンオキシドコポリマーは、非分枝状オルガノポリシロキサンポリアルキレンオキシドコポリマーに比べて懸濁液の水切れを改良する。
【手続補正７】
【補正対象書類名】明細書
【補正対象項目名】００６０
【補正方法】変更
【補正の内容】
【００６０】
パルプ製造工場からサンプリングしたパルプスラリーと、パルプ洗浄プロセス液をシミュレートするために用いられる２．７５％苛性ソーダ及び０．２５％脂肪酸を含有する溶液とから、稠度３．５％のパルプ分散液を調製した。パルプ洗浄機に入るパルプスラリーをシミュレートするこの分散液を８０℃で１２時間保持して、パルプをコンディショニングした。上で調製した分枝状シリコーンポリエーテルの１０％水性分散液５ｍｇを、このパルプ分散液８００ｇに混合した。パルプ分散液を４０秒間真空下で増粘し、パルプ洗浄プロセス液をシミュレートするために用いられる２．７５％苛性ソーダ及び０．２５％脂肪酸を含有する溶液６００ｍＬを、パルプマット上に添加し、８０℃で真空下にてそれを通して水切りした。
以上